【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
第１の端子に結合された第１の出力を有する第１の電力増幅器と、
バイアス抵抗を介して第２の端子に結合されたバイアス電圧を生成するためのバイアス電圧ブロックと、
前記第２の端子に結合されたマイクロフォン処理ブロックであって、前記第１の出力が基準ＤＣ電圧になるように設定されたときに前記第２の端子における電圧を測定し、前記第１の出力が前記基準ＤＣ電圧に設定されていないときに前記第２の端子における前記電圧を測定するように構成された、マイクロフォン処理ブロックと、
前記測定された電圧をメモリに記憶するように構成されたプロセッサと、
プラグを受けるためのジャックであって、前記第１および第２の端子が前記ジャック上に配設され、前記プロセッサが、前記第２の端子における前記測定された電圧に基づいて前記プラグのタイプを北米または欧州として決定するようにさらに構成された、ジャックと、
を備え、
前記測定された電圧が実質的に同じであることは、北米タイプのプラグを示し、前記測定された電圧が実質的に異なることは、欧州タイプのプラグを示す、
装置。
【請求項２】
前記第１の出力を前記基準ＤＣ電圧に選択的に結合するように構成されたスイッチをさらに備える、請求項１に記載の装置。
【請求項３】
前記マイクロフォン処理ブロックは、前記スイッチが開いているときに前記第２の端子における前記電圧を測定し、前記スイッチが閉じているときに前記第２の端子における前記電圧を測定するようにさらに構成された、請求項２に記載の装置。
【請求項４】
前記プロセッサが、前記スイッチを制御するようにさらに構成された、請求項３に記載の装置。
【請求項５】
前記スイッチは、前記第１の電力増幅器が信号電圧を用いて前記第１の端子を駆動するときに開となるように構成された、請求項２記載の装置。
【請求項６】
前記第１の出力が、前記第１の電力増幅器への入力電圧を設定することによって前記基準ＤＣ電圧となるように構成された、請求項１に記載の装置。
【請求項７】
ジャックをさらに備え、前記ジャックが、マイクロフォン端子、接地端子、右オーディオ端子、および左オーディオ端子を備えるオーディオプラグを受けるように構成された、請求項１に記載の装置。
【請求項８】
前記ジャックが、欧州型オーディオプラグまたは北米型オーディオプラグのいずれかを受けるように構成された、請求項７に記載の装置。
【請求項９】
前記プロセッサは、前記第１の出力が前記基準電圧に設定されているときに、前記第２の端子における前記電圧の測定値に基づいて前記プラグのタイプを北米または欧州として決定するようにさらに構成された、請求項１に記載の装置。
【請求項１０】
前記基準電圧が接地電圧に対応し、前記測定された電圧が接地よりも所定の電圧しきい値だけ高いことは、プラグのタイプを北米として示し、前記測定された電圧が前記所定の電圧しきい値よりも低いことは、プラグのタイプを欧州として示す、請求項１に記載の装置。
【請求項１１】
第１の端子における電圧を基準電圧に選択的に設定することと、
抵抗を介してバイアス電圧を第２の端子に結合することと、
前記第１の端子が前記基準電圧に設定されているときに、マイクロフォン処理ブロックを使用して第２の端子における電圧を測定することと、
前記第１の端子が前記基準電圧に設定されていないときに、電力増幅器を用いて前記第１の端子を駆動することと、
前記第１の端子が前記基準電圧に設定されていないときに、前記第２の端子における前記電圧を測定することと、
前記測定された電圧をメモリに記憶することと、
前記測定された電圧を互いに比較することと、
前記測定された電圧間の差が所定の電圧しきい値よりも小さい場合、前記第１および第２の端子に結合されたプラグのタイプが北米であることを示し、そうでない場合、欧州であることを示すことと、
を備える方法。
【請求項１２】
前記基準電圧が接地電圧に対応し、前記方法は、
前記測定された電圧が接地よりも所定の電圧しきい値だけ高い場合、前記第１および第２の端子に結合されたプラグのタイプを北米として決定することと、
そうでない場合、前記プラグのタイプを欧州として決定することと
をさらに備える、請求項１１に記載の方法。
【請求項１３】
第３の端子に結合された負荷を検出するための手段をさらに備え、前記端子における前記負荷の存在が、対応するジャックへのメディアプラグの挿入を示す、請求項１に記載の装置。
【請求項１４】
請求項１１〜１２のいずれかに記載の方法をコンピュータに実行させるためのコードを記憶した非一時的コンピュータ可読記憶媒体。
【手続補正２】
【補正対象書類名】明細書
【補正対象項目名】００４９
【補正方法】変更
【補正の内容】
【００４９】
開示した例示的な態様の前述の説明は、当業者が本発明を実施または使用することができるように与えたものである。これらの例示的な態様への様々な修正は当業者には容易に明らかであり、本明細書で定義した一般原理は、本発明の趣旨または範囲から逸脱することなく他の例示的な態様に適用され得る。したがって、本開示は、本明細書で示した例示的な態様に限定されるものではなく、本明細書で開示した原理および新規の特徴に一致する最も広い範囲を与えられるべきである。
以下に、出願当初の特許請求の範囲に記載された発明を付記する。
［Ｃ１］
第１の端子に結合された第１の出力を有する第１の電力増幅器と、
バイアス抵抗を介して第２の端子に結合されたバイアス電圧を生成するためのバイアス電圧ブロックと、
前記第２の端子に結合されたマイクロフォン処理ブロックであって、前記マイクロフォン処理ブロックは、前記第１の出力が基準ＤＣ電圧になるように設定されたときに前記第２の端子における電圧を測定するように構成された、マイクロフォン処理ブロックと
を備える装置。
［Ｃ２］
前記第１の出力を前記基準ＤＣ電圧に選択的に結合するように構成されたスイッチをさらに備える、上記Ｃ１に記載の装置。
［Ｃ３］
前記マイクロフォン処理ブロックは、前記スイッチが開いているとき、および前記スイッチが閉じているときに、前記第２の端子における電圧を測定するようにさらに構成された、上記Ｃ２に記載の装置。
［Ｃ４］
前記スイッチを制御し、前記測定された電圧をメモリに記憶するように構成されたプロセッサをさらに備える、上記Ｃ３に記載の装置。
［Ｃ５］
プラグを受けるためのジャックをさらに備え、前記第１および第２の端子が前記ジャック上に配設され、前記プロセッサが、前記第２の端子における前記測定された電圧に基づいて前記プラグのタイプを北米または欧州として決定するようにさらに構成された、上記Ｃ４に記載の装置。
［Ｃ６］
前記スイッチが開いているときと閉じているときとで前記測定された電圧が実質的に同じであることは、北米タイプのプラグを示し、前記スイッチが開いているときと閉じているときとで前記測定された電圧が実質的に異なることは、欧州タイプのプラグを示す、上記Ｃ５に記載の装置。
［Ｃ７］
前記スイッチは、前記第１の電力増幅器が信号電圧を用いて前記第１の端子を駆動するときに開となるように構成された、上記Ｃ２記載の装置。
［Ｃ８］
前記第１の出力が、前記第１の電力増幅器への入力電圧を設定することによって前記基準ＤＣ電圧となるように構成された、上記Ｃ１に記載の装置。
［Ｃ９］
ジャックをさらに備え、前記ジャックが、マイクロフォン端子、接地端子、右オーディオ端子、および左オーディオ端子を備えるオーディオプラグを受けるように構成された、上記Ｃ１に記載の装置。
［Ｃ１０］
前記ジャックが、欧州型オーディオプラグまたは北米型オーディオプラグのいずれかを受けるように構成された、上記Ｃ９に記載の装置。
［Ｃ１１］
プラグを受けるためのジャックをさらに備え、前記第１および第２の端子が前記ジャック上に配設され、前記プロセッサは、前記第１の出力が前記基準電圧に設定されているときに、前記第２の端子における前記電圧の測定値に基づいて前記プラグのタイプを北米または欧州として決定するようにさらに構成された、上記Ｃ１に記載の装置。
［Ｃ１２］
前記基準電圧が接地電圧に対応し、前記測定された電圧が接地よりも所定の電圧しきい値だけ高いことは、プラグのタイプを北米として示し、前記測定された電圧が前記所定の電圧しきい値よりも低いことは、プラグのタイプを欧州として示す、上記Ｃ１に記載の装置。
［Ｃ１３］
第１の端子における電圧を基準電圧に選択的に設定することと、
抵抗を介してバイアス電圧を第２の端子に結合することと、
前記第１の端子が前記基準電圧に設定されているときに、マイクロフォン処理ブロックを使用して第２の端子における電圧を測定することと、
前記第１の端子が前記基準電圧に設定されていないときに、電力増幅器を用いて前記第１の端子を駆動することと
を備える方法。
［Ｃ１４］
前記第１の端子が前記基準電圧に設定されていないときに、前記第２の端子における前記電圧を測定すること
をさらに備える、上記Ｃ１３に記載の方法。
［Ｃ１５］
前記測定された電圧をメモリに記憶することと、
前記測定された電圧を互いに比較することと、
前記測定された電圧間の差が所定の電圧しきい値よりも小さい場合、前記第１および第２の端子に結合されたプラグのタイプが北米であることを示し、そうでない場合、欧州であることを示すことと
をさらに備える、上記Ｃ１４に記載の方法。
［Ｃ１６］
前記基準電圧が接地電圧に対応し、前記方法は、
前記測定された電圧が接地よりも所定の電圧しきい値だけ高い場合、前記第１および第２の端子に結合されたプラグのタイプを北米として決定することと、
そうでない場合、前記プラグのタイプを欧州として決定することと
をさらに備える、上記Ｃ１３に記載の方法。
［Ｃ１７］
第１の端子に結合された第１の出力を有する第１の電力増幅器と、
前記第１の出力を基準電圧に選択的に設定するための手段と、
バイアス抵抗を介して第２の端子に結合されたバイアス電圧を生成するためのバイアス電圧ブロックと、
前記第２の端子における前記電圧を測定するために前記第２の端子に結合されたマイクロフォン処理ブロックと
を備える、装置。
［Ｃ１８］
第３の端子に結合された負荷を検出するための手段をさらに備え、前記端子における前記負荷の存在が、対応するジャックへのメディアプラグの挿入を示す、上記Ｃ１７に記載の装置。
［Ｃ１９］
ジャックに挿入されたプラグのプラグタイプをコンピュータに決定させるためのコードを記憶する非一時的コンピュータ可読記憶媒体であって、前記ジャックが、前記プラグの第１の端子を基準電圧に結合し、前記コンピュータがさらに、前記プラグの第２の端子に結合されたマイクロフォン処理ブロックからインジケータ信号を受信し、前記第２の端子が、抵抗を介して前記第２の端子に結合されたバイアス電圧ブロックによってバイアスされ、前記コードが、
前記コンピュータに、前記インジケータ信号の論理値に基づいて前記プラグのタイプを北米または欧州と決定させるためのコードを備える、
非一時的コンピュータ可読記憶媒体。